【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
被験体の鼻腔に物質を供給するためのノーズピースであって、
第１の内側ボディ部と、
前記内側ボディ部の少なくとも遠位部分の周りに配置され、先端を画定する第２の外側ボディ部と
を備え、
前記内側ボディ部は、
そこを通る流路を画定するベース部と、
前記先端を支持する遠位端にあり、サジタル方向の剛性を付与して、前記先端に前記鼻弁の上部領域において肉質組織を開放させることを可能とし、これにより前記鼻弁の開放領域を拡張させるとともに、前記サジタル方向と直交する横方向に柔軟性を付与して前記鼻弁への前記先端の挿入を容易にする突出部と
を備えることを特徴とするノーズピース。
【請求項２】
前記内側ボディ部は、プラスチック材料、任意選択的にアクリロニトリルブタジエンスチレン（ＡＢＳ）プラスチックから形成され、及び／又は
前記外側ボディ部は、弾性材料、任意選択的にゴム又はエラストマー材料、任意選択的に熱可塑性エラストマー（ＴＰＥ）で形成される、
請求項１に記載のノーズピース。
【請求項３】
前記ベース部は、前記ベース部の表面が前記突出部から近接方向において傾斜するよう、前記ノーズピースの長手方向軸に関しテーパ状とされるか、又は傾斜した遠位端において実質環状表面を画定し、これにより、前記ベース部は前記突出部と対向する側の方が短くされる、請求項１記載のノーズピース。
【請求項４】
前記突出部が、前記ノーズピースの長手方向軸に対して実質的に平行かつオフセット関係で軸方向に延びる、請求項１に記載のノーズピース。
【請求項５】
前記突出部は、平坦要素、任意選択的にブレード形状を有する平坦要素を備え、その前記サジタル方向の長さ（ｄ１）は、前記横方向の長さ（ｄ２）よりも大きい、請求項１に記載のノーズピース。
【請求項６】
前記サジタル方向の長さ（ｄ１）が、前記横方向の平均長さ（ｄ２）の１．５倍、
任意選択的に、前記サジタル方向の長さ（ｄ１）が、前記横方向の平均長さ（ｄ２）の１．７倍、
任意選択的に、前記サジタル方向の長さ（ｄ１）が、前記横方向の平均長さ（ｄ２）の１．９倍、
任意選択的に、前記サジタル方向の長さ（ｄ１）が、前記横方向の平均長さ（ｄ２）の２倍である、
請求項５に記載のノーズピース。
【請求項７】
前記突出部は、前記サジタル方向の長さ（ｄ１）が３ｍｍ未満、任意選択的に２．５ｍｍ未満であり、及び／又は
前記突出部は、前記サジタル方向の長さ（ｄ１）が１．５ｍｍよりも大きい、
請求項５に記載のノーズピース。
【請求項８】
前記突出部は、前記横方向の長さ（ｄ２）が１．５ｍｍ未満、任意選択的に１．２５ｍｍ未満であり、及び／又は
前記突出部は、前記横方向の長さ（ｄ２）が０．５ｍｍより大きく、任意選択的に０．７５ｍｍより大きい、
請求項５に記載のノーズピース。
【請求項９】
前記突出部は、主ボディ部と、前記主ボディ部の長さ（ｄ１）よりも前記サジタル方向に短い長さ（ｄ３）を有する先端部とを有し、任意的にはその内側のエッジに段差を有する、請求項５に記載のノーズピース。
【請求項１０】
前記突出部は、その長手方向に沿ってテーパ状の横断面を有し、その前記横方向の長さ（ｄ２）は、その遠位端に向かう方向における長手方向に沿った断面において減少する、請求項５に記載のノーズピース。
【請求項１１】
前記ノーズピースの先端は、前記鼻弁内へと挿入されると、前記鼻弁の未拡張断面積の１．５倍の断面積を有するように前記鼻弁を拡張するように構成され、
任意選択的に、前記ノーズピースの先端は、前記鼻弁へと挿入されると、前記鼻弁の未拡張断面積の１．７５倍の断面積を有するように前記鼻弁を拡張するように構成され、
任意選択的に、前記ノーズピースの先端は、前記鼻弁へと挿入されると、前記鼻弁の未拡張断面積の２．０倍の断面積を有するように前記鼻弁を拡張するように構成される、
請求項１に記載のノーズピース。
【請求項１２】
被験体の鼻腔に物質を供給するためのノーズピースであって、
前記ノーズピースは、そこを通過する流路を設定するベース部と、少なくとも一部において前記ノーズピースの先端を提供し、サジタル方向において剛性を与えて前記先端に前記鼻弁の上部領域において肉質組織を開放させることを可能とし、これにより前記鼻弁の開放領域を拡大させるとともに、前記サジタル方向と直交する横方向に柔軟性を与えて前記鼻弁への前記先端の挿入を容易にする、前記ベース部の遠位端にある突出部と、を含むボディ部を備えたノーズピース。
【請求項１３】
前記ボディ部は、プラスチック材料、任意選択的にアクリロニトリルブタジエンスチレン（ＡＢＳ）プラスチックから形成される、請求項１２に記載のノーズピース。
【請求項１４】
少なくとも前記突出部の周りに配置された外側ボディ部を更に備え、
任意選択的に、前記外側ボディ部が、弾性材料、任意選択的にゴム又はエラストマー材料で形成され、
任意選択的に、前記外側ボディ部が、熱可塑性エラストマー（ＴＰＥ）で形成されている、
請求項１２に記載のノーズピース。
【請求項１５】
前記ベース部は、前記ベース部の表面が前記突出部から近接方向において傾斜するよう、前記ノーズピースの長手方向軸に関しテーパ状とされるか、又は傾斜した遠位端において実質環状表面を画定し、これにより、前記ベース部は前記突出部と対向する側の方が短くされる、請求項１２に記載のノーズピース。
【請求項１６】
前記突出部が、前記ノーズピースの長手方向軸に対して実質的に平行でかつオフセットした関係で軸方向に延びる、請求項１２に記載のノーズピース。
【請求項１７】
前記突出部は、平坦要素、任意選択的にブレード形状を有する平坦要素を備え、その前記サジタル方向の長さ（ｄ１）は、前記横方向の長さ（ｄ２）よりも大きい、請求項１２に記載のノーズピース。
【請求項１８】
前記サジタル方向の長さ（ｄ１）が、前記横方向の平均長さ（ｄ２）の１．５倍、
任意選択的に、前記サジタル方向の長さ（ｄ１）が、前記横方向の平均長さ（ｄ２）の１．７倍、
任意選択的に、前記サジタル方向の長さ（ｄ１）が、前記横方向の平均長さ（ｄ２）の１．９倍、
任意選択的に、前記サジタル方向の長さ（ｄ１）が、前記横方向の平均長さ（ｄ２）の２倍である、
請求項１７に記載のノーズピース。
【請求項１９】
前記突出部は、前記サジタル方向の長さ（ｄ１）が３ｍｍ未満、任意選択的に２．５ｍｍ未満であり、及び／又は
前記突出部は、前記サジタル方向の長さ（ｄ１）が１．５ｍｍよりも大きい、
請求項１７に記載のノーズピース。
【請求項２０】
前記突出部は、１．５ｍｍ未満、任意選択的に１．２５ｍｍ未満の前記横方向の長さ（ｄ２）を有し、及び／又は
前記突出部は、前記横方向の長さ（ｄ２）が０．５ｍｍより大きく、任意選択的に０．７５ｍｍよりも大きい、
請求項１７に記載のノーズピース。
【請求項２１】
前記突出部は、主ボディ部と、前記主ボディ部の長さ（ｄ１）よりも前記サジタル方向に短い長さ（ｄ３）を有する先端部とを有し、任意的にはその内側のエッジに段差を有する、請求項１７に記載のノーズピース。
【請求項２２】
前記突出部は、その長手方向に沿ってテーパ状の横断面を有し、
その前記横方向の長さ（ｄ２）は、その遠位端に向かう方向における長手方向に沿った断面において減少する、請求項１７に記載のノーズピース。
【請求項２３】
前記ノーズピースの先端は、前記鼻弁内へと挿入されると前記鼻弁の未拡張断面積の１．５倍の断面積を有するように前記鼻弁を拡張するように構成され、
任意選択的に、前記ノーズピースの先端は、前記鼻弁へと挿入されると、前記鼻弁の未拡張断面積の１．７５倍の断面積を有するように前記鼻弁を拡張するように構成され、
任意選択的に、前記ノーズピースの先端は、前記鼻弁へと挿入されると、前記鼻弁の未拡張断面積の２．０倍の断面積を有するように前記鼻弁を拡張するように構成される、
請求項１２に記載のノーズピース。
【請求項２４】
請求項１〜２３のいずれか１項に記載のノーズピースを含む鼻供給装置。